(57)【要約】【課題】車両のシートごとに設置されるシート空調装置の冷媒が車室内に漏れる場合にも、冷媒漏れによる乗員への影響をより小さく抑えることを可能にする。【解決手段】車両のシートごとに設けられ、冷媒の蒸気圧縮冷凍サイクルを利用して冷却される風を吹き出させることによって、自装置が設けられるシートに着座する乗員に対する個別空調を行わせるシート空調部１５２と、冷媒の急激な漏れを推定する漏れ推定部１５１と、車両の車室内の、シートに着座する乗員に向かない方向に排出口が向けられる排出用配管から冷媒を排出させる排出制御部１５３とを備え、排出制御部１５３は、漏れ推定部１５１で冷媒の急激な漏れを推定した場合に、電磁弁１０６を制御して排出用配管から冷媒を排出させる。【選択図】図４
2019111924.tif 000002
【特許請求の範囲】
【請求項１】
車両のシート（Ｓｅ）ごとに設けられ、
冷媒の蒸気圧縮冷凍サイクルを利用して冷却される風を吹き出させることによって、自装置が設けられる前記シートに着座する乗員に対する個別の空調である個別空調を行わせるシート空調部（１５２）と、
前記冷媒の急激な漏れを推定する漏れ推定部（１５１）と、
前記車両の車室内の、前記シートに着座する乗員に向かない方向に排出口（Ｏｕ）が向けられる排出用配管（ＤＰ）から前記冷媒を排出させる排出制御部（１５３）とを備え、
前記排出制御部は、前記漏れ推定部で前記冷媒の急激な漏れを推定した場合に、前記排出用配管から前記冷媒を排出させるシート空調装置。
【請求項２】
前記シート空調部によって吹き出させる風の送風経路を、前記個別空調を行わせるための送風経路（ＲＣ）から、前記排出用配管の前記排出口から排出される前記冷媒を撹拌するための送風経路（ＤＣ）に切り替えさせることが可能な送風経路切替部（１５４）をさらに備え、
前記送風経路切替部は、前記漏れ推定部で前記冷媒の急激な漏れを推定した場合に、前記シート空調部によって吹き出させる風の送風経路を、前記個別空調を行わせるための送風経路から、前記排出用配管の前記排出口から排出される前記冷媒を撹拌するための送風経路に切り替えさせる請求項１に記載のシート空調装置。
【請求項３】
前記シート空調部は、前記漏れ推定部で前記冷媒の急激な漏れを推定した場合に、吹き出させる風の風量を増加させる請求項２に記載のシート空調装置。
【請求項４】
前記排出制御部で前記冷媒を排出させる前記排出用配管の前記排出口は、前記車両の床面に向けられる請求項１〜３のいずれか１項に記載のシート空調装置。
【請求項５】
車両のシートごとに設けられる、請求項１〜４のいずれか１項に記載のシート空調装置（１）と、
前記車両の窓の開閉を制御する開閉制御装置（３）とを含み、
前記開閉制御装置は、前記シート空調装置の前記漏れ推定部で前記冷媒の急激な漏れを推定した場合に、前記車両の窓を自動で開けさせる車両システム。
【請求項６】
前記車両の車室内に向いた吹出口から空調風を吹き出させて前記車両の車室内全体に対する包括的な空調である包括空調を行う主空調装置（２）をさらに含み、
前記シート空調装置の前記漏れ推定部で前記冷媒の急激な漏れを推定した場合に、前記開閉制御装置が前記車両の窓を自動で開けさせるのに加え、前記主空調装置は、前記包括空調での空調風の風量を増加させる請求項５に記載の車両システム。
【請求項７】
前記車両の車室内に向いた吹出口から空調風を吹き出させて前記車両の車室内全体に対する包括的な空調である包括空調を行う主空調装置（２）を含むものであって、
前記主空調装置は、前記車室内へ吹き出させる空気を前記車両の車室内の内気循環又は前記車両の車室外からの外気導入に切り替え可能であり、
前記シート空調装置の前記漏れ推定部で前記冷媒の急激な漏れを推定した場合に、前記開閉制御装置が前記車両の窓を自動で開けさせるとともに、前記主空調装置は、前記車室内へ吹き出させる空気を前記外気導入にさせる請求項５又は６に記載の車両システム。
【発明の詳細な説明】
【技術分野】
【０００１】
本開示は、車両のシートごとに設置されるシート空調装置及びそのシート空調装置を含む車両システムに関するものである。
【背景技術】
【０００２】
従来、冷媒の蒸気圧縮冷凍サイクルを利用して空調を行う車両用の空調装置が知られている。例えば、特許文献１では、空調装置のエンジンルーム内の冷媒配管と一端が車外に開放された配管とを連通させることが可能な電磁弁を、加速度センサによって所定値以上の加速度を検出したときに作動させることで、冷媒配管内の冷媒を車外に放出する技術が開示されている。
【先行技術文献】
【特許文献】
【０００３】
【特許文献１】特開平１０−１７５４２６号公報
【発明の概要】
【発明が解決しようとする課題】
【０００４】
しかしながら、特許文献１に開示の技術は、蒸気圧縮冷凍サイクルを利用した空調装置を、乗用車，バスといった車両のシートごとに設置する場合には、一端が車外に開放された配管に冷媒配管を連通することが難しい。よって、シートごとに設置した空調装置が破損して、車室内に冷媒漏れが生じる場合に、乗員に高圧の冷媒が直接当たるおそれがある。
【０００５】
この開示のひとつの目的は、車両のシートごとに設置されるシート空調装置の冷媒が車室内に漏れる場合にも、冷媒漏れによる乗員への影響をより小さく抑えることを可能にするシート空調装置及び車両システムを提供することにある。
【課題を解決するための手段】
【０００６】
上記目的は独立請求項に記載の特徴の組み合わせにより達成され、また、下位請求項は、開示の更なる有利な具体例を規定する。特許請求の範囲に記載した括弧内の符号は、ひとつの態様として後述する実施形態に記載の具体的手段との対応関係を示すものであって、本開示の技術的範囲を限定するものではない。
【０００７】
上記目的を達成するために、本開示のシート空調装置は、車両のシート（Ｓｅ）ごとに設けられ、冷媒の蒸気圧縮冷凍サイクルを利用して冷却される風を吹き出させることによって、自装置が設けられるシートに着座する乗員に対する個別の空調である個別空調を行わせるシート空調部（１５２）と、冷媒の急激な漏れを推定する漏れ推定部（１５１）と、車両の車室内の、シートに着座する乗員に向かない方向に排出口（Ｏｕ）が向けられる排出用配管（ＤＰ）から冷媒を排出させる排出制御部（１５３）とを備え、排出制御部は、漏れ推定部で冷媒の急激な漏れを推定した場合に、排出用配管から冷媒を排出させる。
【０００８】
これによれば、冷媒の蒸気圧縮冷凍サイクルを利用して個別空調を行うシート空調装置の冷媒が車室内に急激に漏れる場合にも、排出用配管から冷媒を排出させることで漏れの箇所から高圧の冷媒が吹き出すことを抑え、高圧の冷媒が乗員に直接当たることを防ぐことが可能になる。また、排出用配管の排出口はシートに着座する乗員に向かない方向に向けられるので、排出用配管から排出される冷媒も乗員には直接当たらずに済む。その結果、車両のシートごとに設置されるシート空調装置の冷媒が車室内に漏れる場合にも、冷媒漏れによる乗員への影響をより小さく抑えることが可能になる。
【０００９】
上記目的を達成するために、本開示の車両システムは、車両のシートごとに設けられる、前述のシート空調装置（１）と、車両の窓の開閉を制御する開閉制御装置（３）とを含み、開閉制御装置は、シート空調装置の漏れ推定部で冷媒の急激な漏れを推定した場合に、車両の窓を自動で開けさせる。
【００１０】
これによれば、前述のシート空調装置を含むので、車両のシートごとに設置されるシート空調装置の冷媒が車室内に漏れる場合にも、冷媒漏れによる乗員への影響をより小さく抑えることが可能になる。また、シート空調装置の漏れ検出部で冷媒の急激な漏れを検出した場合に、車両の窓を自動で開けさせるので、冷媒を車室外に拡散させて冷媒漏れによる乗員への影響をより小さく抑えることも可能になる。
【図面の簡単な説明】
【００１１】
【図１】車両システム４の概略的な構成の一例を示す図である。
【図２】シート空調装置１の設け方と、通常時の送風経路ＲＣ、排出時の送風経路ＤＣ、及び排出用配管ＤＰとの一例を示す図である。
【図３】シート空調装置１の概略的な構成の一例を示す図である。
【図４】シート空調ＥＣＵ１５の概略的な構成の一例を示す図である。
【図５】主空調装置２の概略的な構成の一例を示す図である。
【図６】車両システム４での冷媒漏れ対応関連処理の流れの一例を示すフローチャートである。
【発明を実施するための形態】
【００１２】
図面を参照しながら、開示のための複数の実施形態を説明する。なお、説明の便宜上、複数の実施形態の間において、それまでの説明に用いた図に示した部分と同一の機能を有する部分については、同一の符号を付し、その説明を省略する場合がある。同一の符号を付した部分については、他の実施形態における説明を参照することができる。
【００１３】
（実施形態１）
＜車両システム４の概略構成＞
以下、本実施形態について図面を用いて説明する。図１に示す車両システム４は、乗用車，バス等の自動車（以下、単に車両）で用いられるものであり、シート空調装置１、主空調装置２、及びボデーＥＣＵ３を含んでいる。シート空調装置１、主空調装置２、及びボデーＥＣＵ３は、例えば車内ＬＡＮに接続されているものとする。
【００１４】
シート空調装置１は、車両の座席（つまり、シート）に設けられ、シートに着座する乗員に対する個別の空調（以下、個別空調）を行う。車両システム４は、複数のシートを備える車両で用いられ、シート空調装置１はこの複数のシートごとに設けられる。よって、シート空調装置１は、設けられるシートごとに個別空調を行う。シート空調装置１の詳細については後述する。
【００１５】
主空調装置２は、車両の車室内に向いた吹出口から空調風を吹き出させて車室内全体に対する包括的な空調（以下、包括空調）を行う。包括空調は、複数のシートにわたる空調と言い換えることもできる。主空調装置２の吹き出し口は、例えば車室内前方に設けられる構成とすればよいが、これに限るものではない。主空調装置２の詳細については後述する。
【００１６】
ボデーＥＣＵ３は、プロセッサ、メモリ、Ｉ／Ｏ、これらを接続するバスを備えるマイクロコンピュータを主体として構成され、メモリに記憶された制御プログラムを実行することで車体制御に関する各種の処理を実行する。ボデーＥＣＵ３で実行する車体制御としては、電動作動する窓といった車両設備の制御等がある。このボデーＥＣＵ３が開閉制御装置に相当する。
【００１７】
＜シート空調装置１の概略構成＞
続いて、図２及び図３を用いてシート空調装置１の概略構成について説明を行う。シート空調装置１は、前述したように、車両のシートごとに設けられて、そのシートに着座する乗員に対する個別空調を行う。シート空調装置１は、例えば図２に示すようにシート（図２のＳｅ参照）の座面の下部に設けられる構成とすればよい。
【００１８】
また、シート空調装置１は、図３に示すように、冷凍サイクル装置１０、加熱装置１１、第１送風機１２、第２送風機１３、切替ダンパ１４、及びシート空調ＥＣＵ１５を備える。
【００１９】
冷凍サイクル装置１０は、冷媒の蒸気圧縮冷凍サイクルを利用して空気を冷却するものであり、バイパス管路１００、圧縮機１０１、凝縮器１０２、減圧部１０３、圧力センサ１０４、蒸発器１０５、及び電磁弁１０６を備える。バイパス管路１００は、冷媒が流れる閉回路であって、圧縮機１０１、凝縮器１０２、減圧部１０３、圧力センサ１０４、蒸発器１０５、及び電磁弁１０６が設けられる。冷媒としては、Ｒ１３４ａ，Ｒ１５２ａ等の地球温暖化係数の小さいフロンガス又はプロパン等のＨＣガスを用いる構成とすればよい。
【００２０】
圧縮機１０１は、車載バッテリから供給された直流電圧で駆動される電動圧縮機であり、バイパス管路１００を流れる冷媒を圧縮して冷媒温度を上昇させる。圧縮機１０１は、低圧冷媒を吸引し、この低圧冷媒を加圧して高圧冷媒を吐出する。なお、圧縮機１０１は、車両に搭載されるエンジンによって駆動されるエンジン駆動圧縮機であってもよい。圧縮機１０１は、圧縮した高圧冷媒を凝縮器１０２に供給する。
【００２１】
凝縮器１０２は、第１送風機１２により送風される空気と冷媒との間の熱交換を提供することによって、冷媒の熱を放熱させる。凝縮器１０２は放熱器とも呼ばれる。凝縮器１０２で放熱された冷媒は、減圧部１０３に供給される。減圧部１０３は、凝縮器１０２から供給される冷媒を減圧することにより低温低圧の冷媒を生成し、蒸発器１０５に供給する。
【００２２】
圧力センサ１０４は、バイパス管路１００のうちの凝縮器１０２と減圧部１０３との間に設けられ、バイパス管路１００を流れる冷媒の圧力を検出し、検出結果をシート空調ＥＣＵ１５に出力する。例えば、圧力センサ１０４は、バイパス管路１００のうちの凝縮器１０２と減圧部１０３との間に設けられて冷媒から水分を除去するフィルターとして機能するレシーバドライヤに設けられる構成とすればよい。
【００２３】
蒸発器１０５は、第２送風機１３により送風される空気と低温冷媒との間の熱交換を提供することによって、第２送風機１３により送風される空気を冷却する。これにより、第２送風機１３により送風される空気が冷風となって吹出用のダクトに供給される。吹出用のダクトとしては、後述する通常時の送風経路ＲＣと排出時の送風経路ＤＣとがシートＳｅに設けられている（図２参照）。また、蒸発器１０５で冷却された冷媒は、圧縮機１０１に供給される。なお、蒸発器１０５は、吸熱器とも呼ばれる。
【００２４】
このように冷媒が冷凍サイクル装置１０を循環しつつ、第２送風機１３により送風された空気が冷却されて冷風が吹出用のダクトに供給される。第２送風機１３は、例えばシートの台座の前面に吸込口が設けられる吸込用のダクト通じてシート前方の空気を吸い込み、この空気を蒸発器１０５及び後述の加熱装置１１に向けて送風し、蒸発器１０５及び加熱装置１１を通過した空気を吹出用のダクトに供給するものとする。蒸発器１０５を通過した空気が冷風となり、加熱装置１１を通過した空気が温風となる。そして、吹出用のダクトの吹出口から吹き出されるこれら冷風，温風が個別空調の空調風となる。
【００２５】
吹出用のダクトとしては、図２に示すように、シートＳｅに着座する乗員に対する個別空調を行わせるための通常時の送風経路ＲＣと、後述する排出用配管ＤＰから排出される冷媒の撹拌を助けるための排出時の送風経路ＤＣとがシートＳｅに設けられる。通常時の送風経路ＲＣの吹出口ＲＡＤは、シートバックとヘッドレストとの間に設けられており、吹出口ＲＡＤから吹き出される空調風が、シートＳｅに着座する乗員の首筋に当たるようになっている。排出時の送風経路ＤＣの吹出口ＤＡＤの詳細については後述する。
【００２６】
なお、通常時の送風経路ＲＣの吹出口は、シートに着座する乗員の他の部位に当たるように設けられている構成としてもよいし、乗員に空調風を直接当てずに乗員を空調風で包み込むように設けられている構成としてもよい。例えば、通常時の送風経路ＲＣの吹出口は、シートの座面，シートバック等に設けられ、それぞれの吹出口から吹き出される空調風が、シートに着座する乗員の臀部，背中等に当たるようになっていてもよい。
【００２７】
また、図２に示すように、吹き出し用のダクト以外に、シートＳｅには、緊急時の冷凍サイクル装置１０の冷媒排出用に、排出用配管ＤＰが設けられている。排出用配管ＤＰの排出口Ｏｕは、排出される冷媒がシートＳｅに着座する乗員に直接当たらないように、例えば図２に示すように車両の床面に向いて設けられる。これに対して、排出時の送風経路ＤＣの吹出口ＤＡＤは、例えば図２に示すようにシートＳｅの台座後面にシートＳｅ後方に向いて設けられることで、排出用配管ＤＰから排出される冷媒の撹拌を、この吹出口ＤＡＤから吹き出される風によって助けるようになっている。
【００２８】
なお、排出用配管ＤＰの排出口Ｏｕは、排出される冷媒がシートＳｅに着座する乗員に直接当たらない方向を向いて設けられる構成であればよく、シートＳｅ後方に乗員が着座する他のシートＳｅが存在しない場合には、シートＳｅ後方に向いて設けられる構成としてもよい。
【００２９】
電磁弁１０６は、シート空調ＥＣＵ１５の制御によって開閉状態が切り替わるものであり、冷凍サイクル装置１０のバイパス管路１００と排出用配管ＤＰとの間に設けられる。電磁弁１０６は、閉状態ではバイパス管路１００から排出用配管ＤＰへの冷媒の流通を遮断する一方、開状態ではバイパス管路１００から排出用配管ＤＰへの冷媒の流通を許容する。電磁弁１０６は、デフォルトでは閉状態となっているものとする。
【００３０】
加熱装置１１は、ＰＴＣヒータ、熱線式ヒータ等からなる電気ヒータであり、第２送風機１３により送風された空気を加熱する。これにより、第２送風機１３により送風された空気が温風となって吹出用のダクトに供給される。
【００３１】
切替ダンパ１４は、吹出用のダクトのうちの、通常時の送風経路ＲＣ及び排出時の送風経路ＤＣの上流に設けられる。切替ダンパ１４は、サーボモータ等のアクチュエータの作動によって、空調風の送風経路として、通常時の送風経路ＲＣ又は排出時の送風経路ＤＣの一方を選択するようになっている。切替ダンパ１４は、デフォルトでは空調風の送風経路として、通常時の送風経路ＲＣを選択しているものとする。
【００３２】
シート空調ＥＣＵ１５は、プロセッサ、メモリ、Ｉ／Ｏ、これらを接続するバスを備えるマイクロコンピュータを主体として構成され、メモリに記憶された制御プログラムを実行することで個別空調に関する各種の処理を実行する。プロセッサがこの制御プログラムを実行することは、制御プログラムに対応する方法が実行されることに相当する。ここで言うところのメモリは、コンピュータによって読み取り可能なプログラム及びデータを非一時的に格納する非遷移的実体的記憶媒体（non- transitory tangible storage medium）である。また、非遷移的実体的記憶媒体は、半導体メモリ又は磁気ディスクなどによって実現される。なお、シート空調ＥＣＵ１５での処理の詳細については以下で説明する。
【００３３】
＜シート空調ＥＣＵ１５の概略構成＞
ここで、図４を用いて、シート空調ＥＣＵ１５の概略構成について説明を行う。シート空調ＥＣＵ１５は、漏れ推定部１５１、シート空調部１５２、排出制御部１５３、送風経路切替部１５４、及び通知部１５５を機能ブロックとして備えている。なお、シート空調ＥＣＵ１５が実行する機能の一部又は全部を、１つ或いは複数のＩＣ等によりハードウェア的に構成してもよい。また、シート空調ＥＣＵ１５が備える機能ブロックの一部又は全部は、プロセッサによるソフトウェアの実行とハードウェア部材の組み合わせによって実現されてもよい。
【００３４】
漏れ推定部１５１は、冷凍サイクル装置１０の冷媒の急激な漏れを推定する。一例として、漏れ推定部１５１は、圧力センサ１０４から逐次出力される冷媒の圧力の変化が閾値以上の圧力低下である場合に、冷媒の急激な漏れを推定する。ここで言うところの閾値とは、急激な冷媒漏れが推定される圧力低下の値とすればよい。
【００３５】
シート空調部１５２は、冷凍サイクル装置１０、加熱装置１１、第１送風機１２、及び第２送風機１３の動作を開始させることで、吹出用のダクトに空調風を供給し、個別空調を行わせる。また、シート空調部１５２は、加熱装置１１での加熱量を調整することで個別空調の空調風の温度を調整したり、第２送風機１３の送風量を調整することで個別空調の空調風の風量を調整したりする。なお、個別空調のオンオフ，温度調整，風量調整は、例えばシートごとに設けられた操作入力部を介して受け付ける構成とすればよい。操作入力部の一例としては、メカニカルなスイッチであってもよいし、ディスプレイと一体となったタッチスイッチであってもよい。また、個別空調のオンオフ，温度調整，風量調整は、例えばシートごとに設けられた通信モジュールを介して、乗員の携帯する携帯端末から受け付ける構成としてもよい。
【００３６】
排出制御部１５３は、漏れ推定部１５１で冷媒の急激な漏れを推定した場合に、電磁弁１０６を閉状態から開状態に切り替え、排出用配管ＤＰから冷凍サイクル装置１０の冷媒を排出させる。
【００３７】
送風経路切替部１５４は、切替ダンパ１４を制御することにより、シート空調部１５２によって吹き出させる風の送風経路を、通常時の送風経路ＲＣ又は排出時の送風経路ＤＣに切り替えさせる。送風経路切替部１５４は、漏れ推定部１５１で冷媒の急激な漏れを推定した場合に、切替ダンパ１４を制御することにより、シート空調部１５２によって吹き出させる風の送風経路を、通常時の送風経路ＲＣから排出時の送風経路ＤＣに切り替えさせる。
【００３８】
通知部１５５は、漏れ推定部１５１で冷媒の急激な漏れを推定した場合に、冷媒漏れの発生を示す信号（以下、漏れ発生信号）を車内ＬＡＮに出力することで、他の制御装置に冷媒漏れの発生を通知する。車内ＬＡＮに出力された漏れ発生信号は、ボデーＥＣＵ３及び主空調装置２が取得するものとする。
【００３９】
ボデーＥＣＵ３では、漏れ発生信号を取得すると、車両の電動作動する窓（以下、単に窓）を自動で開けさせる制御を行う。これにより、シート空調装置１から車両の車室内に冷媒が漏れ出した場合でも、車室外に冷媒を拡散させ、密閉空間に冷媒が溜まるのを防ぐことが可能になる。また、ボデーＥＣＵ３は、自動で開けさせる窓を、車両の電動作動する窓全部とする構成としてもよいし、冷媒漏れを検出したシート空調装置１が設けられているシート（以下、冷媒漏れシート）に対応する窓に絞る構成としてもよい。冷媒漏れシートに対応する窓とは、冷媒漏れシートと同じ列に設けられた窓としてもよいし、車両の左右のうちの冷媒漏れシートが設けられている側の側面に設けられた窓としてもよいし、これらの組み合わせであってもよい。
【００４０】
一例として、シートごとのシート空調装置１を識別するＩＤといった識別情報を漏れ発生信号に付与する等により、この識別情報をもとに複数のシートのうちから個別のシートをボデーＥＣＵ３で区別可能にすればよい。なお、漏れ発生信号を取得した場合の主空調装置２での処理については後述する。
【００４１】
＜主空調装置２の概略構成＞
続いて、図５を用いて主空調装置２の概略構成について説明を行う。主空調装置２は、前述したように、車両の車室内に向いた吹出口から空調風を吹き出させて車室内全体に対する包括空調を行う。主空調装置２は、図５に示すように、空調ダクト２１、内外気切替装置２２、アクチュエータ２３、送風機２４、ブロワ駆動回路２５、蒸発器２６、加熱装置２７、エアミックス装置２８、吹出口装置２９、ＤＥＦ吹出口３０、ＦＡＣＥ吹出口３１、ＦＯＯＴ吹出口３２、ＤＥＦドア３３、ＦＡＣＥドア３４、ＦＯＯＴドア３５、及び主空調ＥＣＵ３６を備える。
【００４２】
空調ダクト２１は、例えば車両のインスツルメントパネルの裏面側下方に配置されて、車室内に空調空気を導く通路を形成する。内外気切替装置２２は、空調ダクト２１の上流端に設けられ、車室外の新鮮空気ＦＲＳ及び車室内の循環空気ＲＣＬを、選択的に、または混合して、空調ダクト２１内に導入する。内外気切替装置２２は、新鮮空気ＦＲＳの吸入口と循環空気ＲＣＬの吸入口との内側に回動自在に取り付けられるドア機構であり、サーボモータ等のアクチュエータ２３によって駆動することにより、内気循環と外気導入との切り替え可能となっている。
【００４３】
内気循環が、新鮮空気ＦＲＳの吸入口が閉じている一方、循環空気ＲＣＬの吸入口が空いている吸込モードを指しており、外気導入が、新鮮空気ＦＲＳの吸入口が空いている一方、循環空気ＲＣＬの吸入口が閉じている吸込モードを指している。なお、必要に応じて、内気循環と外気導入との他に、ドア機構のドアを新鮮空気ＦＲＳの吸入口と循環空気ＲＣＬの吸入口との中間位置に固定し、外気導入しながら内気循環させる半内気循環（半外気導入）も可能な構成としてもよい。
【００４４】
送風機２４は、空調ダクト２１内に、車室内に向かう空気流を生成させる。送風機２４は、内外気切替装置２２の下流側に設けられる。送風機２４は、例えば遠心式ファンとこの遠心式ファンを回転駆動するブロワモータとを有しているものとする。この遠心式ファンの回転速度の制御は、ブロワ駆動回路２５を介してブロワモータに印加される電圧を制御することによって行われる。
【００４５】
蒸発器２６は、主空調装置２の蒸気圧縮冷凍サイクルの一部を構成するものであり、空調ダクト２１内において送風機２４の下流側に設けられる。蒸発器２６は、空調ダクト２１内を流れる空気のすべてと熱交換するように、空調ダクト２１を横切るように設けられている。蒸発器２６は吸熱器とも呼ばれる。蒸発器２６は、空調ダクト２１内の空気と低温冷媒との間の熱交換を提供することによって空気を冷却する。
【００４６】
加熱装置２７は、空調ダクト２１内において蒸発器２６の下流側に設けられる。加熱装置２７は、空調ダクト２１内を流れる空気の一部と熱交換できるように、空調ダクト２１の一部を占めるように設けられている。加熱装置２７としては、エンジンの冷却水を熱源とするヒータコア、ヒートポンプサイクルを熱源とする熱交換器、若しくは電力によって加熱される熱交換器を用いることができる。
【００４７】
エアミックス装置２８は、空調ダクト２１内に設けられる。エアミックス装置２８は、加熱装置２７のための通風路を流れる空気量を調節する。エアミックス装置２８は、例えば加熱装置２７の上流側若しくは下流側に設けられる空気制御ドアとすればよい。エアミックス装置２８は、空調ダクト２１内を流れる空気のうち、加熱装置２７を通過する空気の割合を調節することによって、空調ダクト２１内を流れる空気の温度を調節する。なお、空調ダクト２１内を流れる空気の温度の調整は、加熱装置２７の加熱量の調整によって行う構成としてもよい。
【００４８】
吹出口装置２９は、空調ダクト２１の下流端、すなわち車室内側の端部に設けられている。吹出口装置２９は、選択的に利用可能な複数の吹出口を有する。例えば吹出口装置２９は、ＤＥＦ吹出口３０、ＦＡＣＥ吹出口３１、及びＦＯＯＴ吹出口３２を有する。ＤＥＦ吹出口３０は、空調ダクト２１内の空気を車両のフロントウィンドウに向けて吹き出す。ＦＡＣＥ吹出口３１は、空調ダクト２１内の空気を車室内の上部に向けて吹き出す。ＦＯＯＴ吹出口３２は、空調ダクト２１内の空気を車室内の下部に向けて吹き出す。吹出口装置２９は、複数の吹出口の選択的な利用を可能とするためのドア機構を有しており、主空調装置２から車室内への空調風の吹出モードを切り替える。このドア機構としては、ＤＥＦ吹出口３０を開閉するＤＥＦドア３３、ＦＡＣＥ吹出口３１を開閉するＦＡＣＥドア３４、ＦＯＯＴ吹出口３２を開閉するＦＯＯＴドア３５がある。
【００４９】
主空調ＥＣＵ３６は、プロセッサ、メモリ、Ｉ／Ｏ、これらを接続するバスを備えるマイクロコンピュータを主体として構成され、メモリに記憶された制御プログラムを実行することで包括空調に関する各種の処理を実行する。プロセッサがこの制御プログラムを実行することは、制御プログラムに対応する方法が実行されることに相当する。ここで言うところのメモリは、コンピュータによって読み取り可能なプログラム及びデータを非一時的に格納する非遷移的実体的記憶媒体（non- transitory tangible storage medium）である。また、非遷移的実体的記憶媒体は、半導体メモリ又は磁気ディスクなどによって実現される。
【００５０】
主空調ＥＣＵ３６は、ブロワ駆動回路２５を介してブロワモータに印加される電圧を制御することで遠心式ファンの回転速度を制御し、送風機２４が生成する空気流の風量を調整する。つまり、主空調ＥＣＵ３６は、包括空調の風量を調整する。また、主空調ＥＣＵ３６は、ブロワ駆動回路２５からブロワモータへの電圧の印加の有無を切り替えることで、包括空調のオンオフを切り替える。また、主空調ＥＣＵ３６は、アクチュエータ２３によって内外気切替装置２２を駆動することで内気循環と外気導入とを切り替える。他にも、主空調ＥＣＵ３６は、エアミックス装置２８を制御することで空調風の温度を調整したり、吹出口装置２９を制御することで空調風の吹出口を切り替えたりする。
【００５１】
主空調ＥＣＵ３６は、シート空調ＥＣＵ１５から出力される漏れ発生信号を取得した場合に、包括空調がオンであれば、包括空調の風量を増加させる。また、主空調ＥＣＵ３６は、包括空調がオフであればオンに切り替える。車室内に漏れ出した冷媒を拡散させるためには、主空調ＥＣＵ３６は、例えば包括空調の風量を最大とすることが好ましい。
【００５２】
さらに、主空調ＥＣＵ３６は、シート空調ＥＣＵ１５から出力される漏れ発生信号を取得した場合に、車室内へ吹き出させる空気を外気導入にさせる。より詳しくは、車室内へ吹き出させる空気が内気循環であった場合には外気導入に切り替え、外気循環であった場合には外気循環を維持する。なお、本実施形態では外気導入に半外気導入も含むものとする。半外気導入も含む場合について詳細に説明すると、車室内へ吹き出させる空気が内気循環であった場合には半外気導入若しくは外気導入に切り替え、半外気導入であった場合には半外気導入を維持若しくは外気導入に切り替え、外気循環であった場合には外気循環を維持する構成とすればよい。冷媒の拡散のためには、半外気導入よりも外気導入を選択することが好ましい。
【００５３】
＜車両システム４での冷媒漏れ対応関連処理＞
続いて、図６のフローチャートを用いて、車両システム４でのシート空調装置１の冷媒漏れへの対応に関連する処理（以下、冷媒漏れ対応関連処理）の流れの一例について説明を行う。図６のフローチャートは、例えば車両のイグニッション電源がオンになったときに開始する構成とすればよい。
【００５４】
まず、ステップＳ１では、シート空調装置１の漏れ推定部１５１で冷媒の急激な漏れを推定した場合（Ｓ１でＹＥＳ）には、ステップＳ２に移る。一方、シート空調装置１の漏れ推定部１５１で冷媒の急激な漏れを推定していない場合（Ｓ１でＮＯ）には、ステップＳ９に移る。
【００５５】
ステップＳ２では、Ｓ１で冷媒の急激な漏れを推定したシート空調装置１の排出制御部１５３が、電磁弁１０６を閉状態から開状態に切り替え、排出用配管ＤＰから冷凍サイクル装置１０の冷媒を排出させる。
【００５６】
ステップＳ３では、Ｓ１で冷媒の急激な漏れを推定したシート空調装置１の送風経路切替部１５４が、切替ダンパ１４を制御することにより、シート空調部１５２によって吹き出させる風の送風経路を、通常時の送風経路ＲＣから排出時の送風経路ＤＣに切り替えさせる。排出時の送風経路ＤＣの吹出口ＤＡＤは、この吹出口ＤＡＤから吹き出される風によって排出用配管ＤＰから排出される冷媒の撹拌を助けるように設けられているので、排出用配管ＤＰから排出される冷媒の撹拌を、排出時の送風経路ＤＣの吹出口ＤＡＤから吹き出させる風によって助ける。
【００５７】
ステップＳ４では、Ｓ１で冷媒の急激な漏れを推定したシート空調装置１のシート空調部１５２が、個別空調の空調風の風量を増加させる。なお、個別空調がオフの場合には個別空調をオンに切り替えればよく、個別空調の風量は最大とすることが好ましい。これによれば、シート空調部１５２によって吹き出させる風の送風経路がＳ３で排出時の送風経路ＤＣに切り替えられているので、排出時の送風経路ＤＣから吹き出させる風の風量を増加させることになる。その結果、排出用配管ＤＰから排出される冷媒の撹拌を、排出時の送風経路ＤＣの吹出口ＤＡＤから吹き出させる風の風量を増加させることで、さらに助ける。
【００５８】
ステップＳ５では、Ｓ１で冷媒の急激な漏れを推定したシート空調装置１の通知部１５５が車内ＬＡＮに漏れ発生信号を出力する。ステップＳ６では、Ｓ５で出力された漏れ発生信号を取得したボデーＥＣＵ３が、車両の窓を自動で開けさせる。ステップＳ７では、Ｓ５で出力された漏れ発生信号を取得した主空調装置２の主空調ＥＣＵ３６が、車室内へ吹き出させる空気を外気導入にさせる。ステップＳ８では、Ｓ５で出力された漏れ発生信号を取得した主空調装置２の主空調ＥＣＵ３６が、包括空調の風量を増加させる。
【００５９】
ステップＳ９では、冷媒漏れ対応関連処理の終了タイミングであった場合（Ｓ９でＹＥＳ）には、冷媒漏れ対応関連処理を終了する。一方、冷媒漏れ対応関連処理の終了タイミングでなかった場合（Ｓ９でＮＯ）には、Ｓ１に戻って処理を繰り返す。冷媒漏れ対応関連処理の終了タイミングの一例としては、自車のイグニッション電源がオフになったこと等がある。
【００６０】
Ｓ３〜Ｓ４の処理は、Ｓ２の処理よりも前に行われる構成としてもよいし、Ｓ３〜Ｓ４の処理と並行して行われる構成であってもよい。Ｓ５の処理は、Ｓ２〜Ｓ４の処理よりも前に行われる構成としてもよいし、Ｓ２〜Ｓ４の処理と並行して行われる構成であってもよい。また、Ｓ６〜Ｓ８の処理についても、Ｓ２〜Ｓ４の処理よりも前に行われる構成としてもよいし、Ｓ２〜Ｓ４の処理と並行して行われる構成であってもよい。
【００６１】
また、車室内に漏れ出した冷媒が車両の乗員に影響を与える前に速やかに車室外に拡散させるためには、Ｓ８の包括空調の風量を増加させる処理に先がけて、Ｓ６の窓を開けさせる処理が行われることがより好ましい。なお、Ｓ８の処理に先がけてＳ６の処理を行わせる構成は、一例として複数のＥＣＵを統合制御するＥＣＵでタイミングを制御することで実現すればよい。他の例として、ボデーＥＣＵ３でＳ６の処理を実行した場合にＳ６の処理を実行したことを示す信号を車内ＬＡＮに出力するとともに、この信号を取得することをＳ８の処理を開始する条件とすることで実現してもよい。
【００６２】
他にも、車室内に漏れ出した冷媒が車両の乗員に影響を与える前に速やかに車室内での冷媒の濃度を下げるためには、Ｓ８の包括空調の風量を増加させる処理に先がけて、Ｓ７の外気導入させる処理が行われることがより好ましい。
【００６３】
＜実施形態１のまとめ＞
実施形態１の構成によれば、冷媒の蒸気圧縮冷凍サイクルを利用して個別空調を行うシート空調装置１の冷媒が車室内に急激に漏れる場合にも、排出用配管ＤＰから冷媒を排出させることで漏れの箇所から高圧の冷媒が吹き出すことを抑え、高圧の冷媒が乗員に直接当たることを防ぐことが可能になる。また、排出用配管ＤＰの排出口Ｏｕはシートに着座する乗員に向かない方向に向けられるので、排出用配管ＤＰから排出される冷媒も乗員には直接当たらずに済む。その結果、車両のシートごとに設置されるシート空調装置１の冷媒が車室内に漏れる場合にも、冷媒漏れによる乗員への影響をより小さく抑えることが可能になる。
【００６４】
また、実施形態１の構成によれば、シート空調装置１の冷媒の急激な漏れを漏れ推定部１５１で推定した場合に、排出用配管ＤＰから冷媒を排出させるだけでなく、シート空調部１５２によって吹き出させる風の送風経路を、通常時の送風経路ＲＣから排出時の送風経路ＤＣに切り替えさせる。よって、排出用配管ＤＰから排出される冷媒の撹拌を、排出時の送風経路ＤＣの吹出口ＤＡＤから吹き出させる風によって助け、冷媒漏れによる乗員への影響をさらに小さく抑えることが可能になる。
【００６５】
さらに、実施形態１の構成によれば、シート空調装置１の冷媒の急激な漏れを漏れ推定部１５１で推定した場合に、シート空調部１５２によって吹き出させる風の送風経路を、通常時の送風経路ＲＣから排出時の送風経路ＤＣに切り替えさせるだけでなく、個別空調の空調風の風量を増加させる。よって、排出用配管ＤＰから排出される冷媒の撹拌を、排出時の送風経路ＤＣの吹出口ＤＡＤから吹き出させる風の風量を増加させることによってさらに助け、冷媒漏れによる乗員への影響をさらに小さく抑えることが可能になる。
【００６６】
また、実施形態１の構成によれば、シート空調装置１の冷媒の急激な漏れを漏れ推定部１５１で推定した場合に、ボデーＥＣＵ３が車両の窓を自動で開けさせるので、シート空調装置１の冷媒が車室内に漏れる場合にも、この冷媒を車室外に拡散することが可能になる。よって、乗員が冷媒を吸い込む量を減らすことが可能になり、冷媒漏れによる乗員への影響をさらに小さく抑えることが可能になる。
【００６７】
さらに、実施形態１の構成によれば、シート空調装置１の冷媒の急激な漏れを漏れ推定部１５１で推定した場合に、ボデーＥＣＵ３が車両の窓を自動で開けさせるだけでなく、包括空調を行う主空調装置２が包括空調の風量を増加させるので、車室内に漏れ出した冷媒をより速やかに車室外に拡散させることが可能になる。よって、冷媒漏れによる乗員への影響をさらに小さく抑えることが可能になる。
【００６８】
また、実施形態１の構成によれば、シート空調装置１の冷媒の急激な漏れを漏れ推定部１５１で推定した場合に、ボデーＥＣＵ３が車両の窓を自動で開けさせるだけでなく、包括空調を行う主空調装置２が車室内へ吹き出させる空気を外気導入にさせるので、車室内に漏れ出した冷媒の車室内での濃度をより速やかに下げさせることが可能になる。よって、冷媒漏れによる乗員への影響をさらに小さく抑えることが可能になる。
【００６９】
他にも、実施形態１の構成によれば、冷凍サイクル装置１０で用いられる圧力センサ１０４で検出する冷媒の圧力の変化から漏れ推定部１５１が冷媒の急激な漏れを推定するので、冷媒の蒸気圧縮冷凍サイクルを利用して空調を行う空調装置で用いる圧力センサ以外のセンサを新たに追加することなく、冷媒の急激な漏れを推定することが可能になる。
【００７０】
（実施形態２）
実施形態１では、漏れ推定部１５１が、圧力センサ１０４での検出結果から冷凍サイクル装置１０の冷媒の急激な漏れを推定する構成を示したが、必ずしもこれに限らず、他の方法によって冷媒の急激な漏れを推定する構成としてもよい。
【００７１】
例えば、漏れ推定部１５１は、例えば車両前端部の車体フレームなどに配置されている加速度センサで規定値以上の加速度を検出した場合に、冷媒の急激な漏れを推定する構成としてもよい。なお、漏れ推定部１５１は、この加速度センサで規定値以上の加速度を検出した場合に出力される衝突検出信号をこの加速度センサから取得した場合に、冷媒の急激な漏れを推定する構成としてもよい。漏れ推定部１５１は、衝突検出信号を、エアバッグＥＣＵ等のシート空調ＥＣＵ１５以外のＥＣＵから取得する構成としてもよい。また、加速度センサの代わりに、例えばフロントバンパに配されたチューブ若しくはチャンバ内の圧力を感知するための圧力センサ，車両のボデーに沿って配された光ファイバから出力される光量の変化に基づいて衝突を検知するセンサ等を用いる構成としてもよい。
【００７２】
他にも、漏れ推定部１５１は、車両の挙動をセンシングするセンサの検出結果と、車両の周辺を監視するセンサの検出結果とから、車両と障害物との衝突が回避困難であることを判定した場合に、冷媒の急激な漏れを推定する構成としてもよい。一例として、車両の前方カメラを用いて検出する車両前方の障害物までの距離と、車両の速度とからＴＴＣ（Time To Collision）を算出し、このＴＴＣの値が衝突の回避困難な値である場合に、冷媒の急激な漏れを推定する構成とすればよい。
【００７３】
（実施形態３）
前述の実施形態では、漏れ推定部１５１が、冷凍サイクル装置１０の冷媒の急激な漏れを推定する構成を示したが、必ずしもこれに限らない。例えば、漏れ推定部１５１が、冷媒の急激な漏れと冷媒の急激でない漏れとを区別して推定する構成としてもよい。一例として、以下のようにすればよい。まず、圧力センサ１０４で検出される圧力が、冷媒漏れが推定される低さの冷媒の圧力値以下か否かによって、冷媒漏れの有無を推定する。続いて、冷媒漏れと推定した場合に、圧力センサ１０４で逐次出力される冷媒の圧力低下が、実施形態１で述べた閾値以上であれば冷媒の急激な漏れと推定し、閾値未満であれば冷媒の急激でない漏れと推定すればよい。
【００７４】
また、車両システム４は、漏れ推定部１５１で冷媒の急激な漏れを推定した場合には、実施形態１と同様にＳ２〜Ｓ８の処理を実行する一方、漏れ推定部１５１で冷媒の急激でない漏れを推定した場合には、Ｓ２〜Ｓ４の処理を実行せずにＳ５〜Ｓ８の処理を実行する構成とすればよい。
【００７５】
これによれば、シートに着座する乗員に高圧の冷媒が直接当たるおそれがある、冷媒の急激な漏れが推定される場合には、排出用配管ＤＰから冷媒を排出させることで、高圧の冷媒が乗員に直接当たることを防ぐ一方、シートに着座する乗員に高圧の冷媒が直接当たる可能性の低い、冷媒の急激でない漏れが推定される場合には、排出用配管ＤＰから冷媒を排出させず、冷媒を拡散することで、冷媒漏れによる乗員への影響を小さく抑えることが可能になる。
【００７６】
（実施形態４）
前述の実施形態では、シート空調装置１の漏れ推定部１５１が冷媒の急激な漏れを推定した場合に、ボデーＥＣＵ３が窓を開けさせる構成を示したが、必ずしもこれに限らず、窓を開けさせない構成としてもよい。
【００７７】
（実施形態５）
前述の実施形態では、シート空調装置１の漏れ推定部１５１が冷媒の急激な漏れを推定した場合に、主空調装置２の主空調ＥＣＵ３６が包括空調の風量を増加させる構成を示したが、必ずしもこれに限らず、この包括空調の風量の増加を行わせない構成としてもよい。
【００７８】
（実施形態６）
前述の実施形態では、シート空調装置１の漏れ推定部１５１が冷媒の急激な漏れを推定した場合に、主空調装置２の主空調ＥＣＵ３６が車室内へ吹き出させる空気を外気導入にさせる構成を示したが、必ずしもこれに限らず、内気循環の場合も外気導入に切り替えさせない構成としてもよい。
【００７９】
（実施形態７）
前述の実施形態では、シート空調装置１ごとの各種制御をシート空調装置１ごとに設けられるシート空調ＥＣＵ１５が実行する構成を示したが、必ずしもこれに限らない。例えば、車両に設けられた１つのＥＣＵが、例えば車内ＬＡＮを介してシート空調装置１ごとの各種制御を実行する構成としてもよい。また、この１つのＥＣＵが、ボデーＥＣＵ３の機能，主空調ＥＣＵ３６の機能等も担う構成としてもよい。
【００８０】
（実施形態８）
前述の実施形態では、車両システム４を用いる車両として乗用車，バスを例に挙げたが、車両システム４は窓が閉じた状態で密閉空間となる車両であれば、鉄道車両等の他の車両にも用いる構成としてもよい。
【００８１】
（実施形態９）
前述の実施形態では、シートごとのシート空調装置１が車内ＬＡＮに接続されている構成を示したが、必ずしもこれに限らない。例えば、シートごとのシート空調装置１が車内ＬＡＮに接続されておらず、他のＥＣＵと通信を行わない構成としてもよい。この場合、シート空調ＥＣＵ１５は通知部１５５を備えず、冷媒漏れ対応関連処理からＳ５〜Ｓ８の処理を省略する構成とすればよい。
【００８２】
なお、本開示は、上述した実施形態に限定されるものではなく、請求項に示した範囲で種々の変更が可能であり、異なる実施形態にそれぞれ開示された技術的手段を適宜組み合わせて得られる実施形態についても本開示の技術的範囲に含まれる。
【符号の説明】
【００８３】
１  シート空調装置、２  主空調装置、３  ボデーＥＣＵ（開閉制御装置）、４  車両システム、１０  冷凍サイクル装置、１３  第２送風機、１４  切替ダンパ、１５  シート空調ＥＣＵ、２２  内外気切替装置、２３  アクチュエータ、２４  送風機、２５  ブロワ駆動回路、３６  主空調ＥＣＵ、１００  バイパス管路、１０１  圧縮機、１０２  圧縮機、１０３  減圧部、１０４  圧力センサ、１０５  蒸発器、１０６  電磁弁、１５１  漏れ推定部、１５２  シート空調部、１５３  排出制御部、１５４  送風経路切替部、１５５  通知部、Ｓｅ  シート、ＲＣ  通常時の送風経路、ＤＣ  排出時の送風経路、ＤＰ  排出用配管、Ｏｕ  排出口
【図１】
2019111924.tif 000003
【図２】
2019111924.tif 000004
【図３】
2019111924.tif 000005
【図４】
2019111924.tif 000006
【図５】
2019111924.tif 000007
【図６】
2019111924.tif 000008